(57)【要約】【課題】安全に開閉操作することができる給電開閉装置を提供する。【解決手段】開閉装置本体１に、供給側配線を接続する供給側端子３と、需用側配線を接続する需用側端子５とを内装する。供給側端子３と需用側端子５との間に隙間９を設ける。電気導通部分を外部に露出させないように、絶縁性のカバー６で覆う。導電体８を突設した蓋体７ａを装着する。導電体８がカバー６の導電体挿入穴２３に挿入される。導電体８の先端部が隙間９に挿入される。両端子３、５間が導通状態に切り替わる。導電体８を設けない蓋体７ｂを装着する。隙間９により、両端子３、５間が非導通状態に切り替わる。【選択図】  図６
2004152650.tif 000002
【特許請求の範囲】
【請求項１】
供給側から需用側に電力を供給するための配線を開閉する給電開閉装置において、開閉装置本体に、供給側配線を接続する供給側端子と、需用側配線を接続する需用側端子とが内装され、前記供給側端子及び需用側端子間を導通状態と非導通状態とのうちの一方に切り替える切替手段が設けられ、前記開閉装置本体の電気導通部分が外部に露出しないように覆う絶縁性の蓋体が設けられたことを特徴とする給電開閉装置。
【請求項２】
前記供給側端子及び需用側端子間に所定の隙間が設けられ、前記切替手段は、両端子間を接続する導電体とされ、該導電体を前記隙間に挿入することにより両端子間を導通状態に切り替え、前記隙間から引き抜くことにより両端子間を非導通状態に切り替えることを特徴とする請求項１記載の給電開閉装置。
【請求項３】
前記供給側端子及び需用側端子のうちの少なくとも一方の端子を他方の端子に向けて付勢して両端子を接触させる付勢手段が設けられ、前記切替手段は、両端子間を絶縁する絶縁体とされ、該絶縁体を前記付勢手段の付勢力に抗して両端子間に挿入することにより両端子間を非導通状態に切り替え、両端子間から引き抜くことにより両端子間を導通状態に切り替えることを特徴とする請求項１記載の給電開閉装置。
【請求項４】
前記蓋体として二種類の蓋体が設けられ、いずれかの蓋体に前記切替手段が設けられ、開閉装置本体に装着された一方の蓋体を他方の蓋体に取り替えることにより、両端子間を導通状態と非導通状態とのうちの一方に切り替えることを特徴とする請求項２又は３記載の給電開閉装置。
【請求項５】
前記切替手段は、両端子間を接続する導電体と、両端子間を絶縁する絶縁体とからなり、前記導電体を両端子間に挿入することにより両端子間を導通状態に切り替え、前記絶縁体を両端子間に挿入することにより両端子間を非導通状態に切り替えることを特徴とする請求項１記載の給電開閉装置。
【請求項６】
前記蓋体として二種類の蓋体が設けられ、いずれかの蓋体に導電体が設けられ、他の蓋体に絶縁体が設けられ、開閉装置本体に装着された一方の蓋体を他方の蓋体に取り替えることにより、両端子間を導通状態と非導通状態とのうちの一方に切り替えることを特徴とする請求項５記載の給電開閉装置。
【請求項７】
前記切替手段が蓋体に設けられ、該蓋体の開閉装置本体への装着方向を変えることにより、前記切替手段を両端子間に挿入または両端子間から引き抜き、両端子間を導通状態と非導通状態とのうちの一方に切り替えることを特徴とする請求項２、３又は５記載の給電開閉装置。
【請求項８】
前記供給側端子及び需用側端子間が所定の間隔をあけて配置され、前記切替手段は、両端子間を接続または切断する電気接点と、該電気接点に連絡されたスイッチと、該スイッチを押圧するように蓋体に形成された突起とからなり、前記スイッチは、前記電気接点で両端子間を接続させる接続姿勢と、前記電気接点で両端子間を切断する切断姿勢との間で移動自在とされ、前記突起は、蓋体の装着方向を変えることによりスイッチの異なる部分を押圧し、前記スイッチの接続姿勢と切断姿勢とを切り替えて電気接点を移動させ、両端子間を導通状態と非導通状態とのうちの一方に切り替えることを特徴とする請求項１記載の給電開閉装置。
【請求項９】
前記開閉装置本体に装着された蓋体は、不正操作を防止するように、専用の工具により取り外し可能とされたことを特徴とする請求項１〜８のいずれかに記載の給電開閉装置。
【請求項１０】
前記開閉装置本体の電気導通部分が外部に露出しないように覆う絶縁性のカバーが前記蓋体の内側に設けられ、該カバーに、前記切替手段を挿入するための挿入穴が形成されたことを特徴とする請求項１〜９のいずれかに記載の給電開閉装置。
【請求項１１】
前記開閉装置本体に装着されたカバーは、不正操作を防止するように、専用の工具により取り外し可能とされたことを特徴とする請求項１０記載の給電開閉装置。
【発明の詳細な説明】
【０００１】
【発明の属する技術分野】
本発明は、供給側から需用側に電力を供給するための配線を開閉する給電開閉装置に関するものである。
【０００２】
【従来の技術】
一般に、電力の供給側の引込線と需用側の配線との間には、需用側の消費電力を計量するための電力量計が介装されている。料金の不払いなどにより給電を停止する場合、電力量計から引込線を取り外し、給電を再開するときに再び電力計に引込線を接続している。引込線の取り外し及び接続は活線状態で行われるため、感電の危険を伴うと共に手間がかかり、その作業に熟練を要する。
【０００３】
これに対して、特許文献１に、電力量計と引込線または需用側の配線との間に設置して、給電停止及びその解除を切り替える給電開閉装置が開示されている。図１０及び図１１に特許文献１の給電開閉装置を示す。
【０００４】
図１０に示す給電開閉装置は、装置本体１０１と、装置本体１０１に着脱自在に装着される導通プラグ１０２とを備えている。装置本体１０１と電力量計１０３とは、図示しないねじにより装置本体１０１に取り付けられるリード線１０４を介して接続される。引込線または需用側の配線１０５は、ねじ１０６により装置本体１０１に取り付けられる。
【０００５】
導通プラグ１０２は、装置本体１０１に装着することにより、リード線１０４と配線１０５とを接続する。装置本体１０１に導通プラグ１０２を着脱することにより、給電停止及びその解除を切り替えるようになっている。
【０００６】
また、図１１に示す給電開閉装置は、遠隔制御用停止解除装置１０７を備え、遠隔操作によりスイッチ１０８を開閉して給電停止及びその解除を切り替えるようになっている。
【０００７】
【特許文献１】
特開２００２−９８７１６号公報（段落番号０００６〜００１１、段落番号００１６、第４図、第８図）
【０００８】
【発明が解決しようとする課題】
ところが、上記の給電開閉装置のうち、導通プラグを着脱するものは、リード線や配線を取り付けるねじなど（充電部）が露出しているため、不用意に触れた需用者や作業員が感電するおそれがある。一方、遠隔制御用停止解除装置を備えたものは、遠隔操作によりスイッチを開閉するため安全であるが、高価であり、その取付スペースも大きくなる。
【０００９】
本発明は、安全に開閉操作することができ、小型で安価な給電開閉装置を提供することを目的とする。
【００１０】
【課題を解決するための手段】
上記課題に鑑み、本発明は、開閉装置本体に、供給側配線を接続する供給側端子と、需用側配線を接続する需用側端子とを内装し、供給側端子及び需用側端子間を導通状態と非導通状態とのうちの一方に切り替える切替手段を設けて、供給側から需用側に電力を供給するための配線を開閉する構造を前提として、開閉装置本体の電気導通部分が外部に露出しないように覆う絶縁性の蓋体を設けた給電開閉装置を提供するものである。この構成によれば、電気導通部分を絶縁性の蓋体で覆うため、需用者や作業員が不用意に触れて感電することを防止できる。
【００１１】
切替手段としては、導電体あるいは絶縁体から構成するものを例示することができる。切替手段を導電体から構成するとき、供給側端子及び需用側端子間を導電体により接続または切断するように、両端子間に所定の隙間を設ける。両端子間を導通状態に切り替えるとき、導電体を隙間に挿入して両端子間を接続し、両端子間を非導通状態に切り替えるとき、導電体を隙間から引き抜いて両端子間の接続を切断する。
【００１２】
切替手段を絶縁体から構成するとき、供給側端子及び需用側端子間を絶縁体により接続または切断するように、両端子のうちの少なくとも一方の端子を他方の端子に向けて付勢して両端子を接触させる付勢手段を設ける。両端子間を導通状態に切り替えるとき、絶縁体を両端子間から引き抜いて両端子間を接続し、両端子間を非導通状態に切り替えるとき、付勢手段の付勢力に抗して絶縁体を両端子間に挿入して両端子間の接続を切断する。付勢手段としては、ゴムまたはばねからなる弾性体を例示できる。
【００１３】
切替手段を他の部材と別体のものとしてもよいが、蓋体に一体的に設けてもよい。このとき、蓋体として二種類の蓋体を設けて、いずれかの蓋体に切替手段（導電体あるいは絶縁体）を設け、残りの蓋体に切替手段を設けないようにする。開閉装置本体に装着した一方の蓋体を他方の蓋体に取り替えることにより、両端子間を導通状態と非導通状態とのうちの一方に切り替える。そうすれば、電気導通部分を覆うための蓋体を着脱するだけでよいので、両端子間の導通状態及び非導通状態の切替を簡単にすることができる。
【００１４】
また、切替手段を導電体と絶縁体とから構成してもよい。この場合、両端子間を導通状態に切り替えるとき、導電体を両端子間に挿入して両端子間を接続し、両端子間を非導通状態に切り替えるとき、絶縁体を両端子間に挿入して両端子間の接続を切断する。この切替手段を蓋体と一体的に設けるとき、蓋体として二種類の蓋体を設けて、いずれかの蓋体に導電体を設け、他の蓋体に絶縁体を設ける。開閉装置本体に装着された一方の蓋体を他方の蓋体に取り替えることにより、両端子間を導通状態と非導通状態とのうちの一方に切り替えればよい。
【００１５】
切替手段を蓋体に設けるとき、蓋体の開閉装置本体への装着方向を変えることにより、切替手段を両端子間に挿入または両端子間から引き抜き、両端子間を導通状態と非導通状態とのうちの一方に切り替えるようにしてもよい。そうすれば、複数の蓋体を用意する必要がなくなり好適である。
【００１６】
具体的には、両端子の間及び切替手段を蓋体の中央から偏心させて設ける構成を例示できる。つまり、蓋体を所定の方向に装着したとき導電体（絶縁体）が両端子間に挿入されるように設定し、蓋体の装着方向を変えることにより、導電体（絶縁体）を両端子間から引き抜く。切替手段を導電体と絶縁体とから構成するときは、蓋体の装着方向を変えることにより、引き抜かれた導電体（絶縁体）に代わって絶縁体（導電体）が挿入されるようにすればよい。
【００１７】
別の切替手段として、両端子間を接続または切断する電気接点と、この電気接点に連絡されたスイッチと、このスイッチを押圧するように蓋体に形成された突起とを備えてもよい。具体的には、供給側端子及び需用側端子間を所定の間隔をあけて配置し、スイッチを、電気接点で両端子間を接続する接続姿勢と、電気接点で両端子間を切断する切断姿勢との間で移動自在とする。
【００１８】
蓋体の装着方向を変えることにより、突起にスイッチの異なる部分を押圧させて、スイッチの接続姿勢と切断姿勢とを切り替えて電気接点を移動させ、両端子間を導通状態と非導通状態とのうちの一方に切り替える。
【００１９】
開閉装置本体の電気導通部分を外部に露出させないように絶縁性のカバーで覆って、このカバーに、切替手段を挿入するための挿入穴を形成する。供給側配線及び需用側配線を接続してカバーを装着した後、切替手段を挿入穴に挿抜することにより、両端子間の導通状態及び非導通状態を切り替える。そうすれば、蓋体を取り外した状態においても、供給側端子及び需用側端子などの電気導通部分が露出しないため、両端子間の導通状態及び非導通状態の切替を安全にすることができる。
【００２０】
開閉装置本体に装着する蓋体やカバーを専用の工具により取り外し可能として、不正操作を防止する。具体的には、一般に使用されるプラスドライバーやマイナスドライバーを使用できないように三つ又の溝を形成した特殊ねじで、蓋体やカバーを取付固定する構成を例示できる。そうすれば、需用者や第三者による蓋体やカバーの取り外しを防いで、電気導通部分に触れることによる感電や盗電などを防止することができる。
【００２１】
【発明の実施の形態】
以下、本発明に係る給電開閉装置の実施の形態について、図面を用いて説明する。この給電開閉装置は、図示しない電力量計と需用側の配線との間に直列に接続されて、供給側から需用側に電力を供給するための配線を開閉するものである。なお、この給電開閉装置は、電力量計と供給側の引込線との間に接続するようにしてもよい。
【００２２】
［第一実施形態］  まず、本発明の第一実施形態について説明する。図１は本発明の給電開閉装置の蓋体を装着したときの斜視図、図２は給電開閉装置の蓋体を取り外したときの斜視図、図３は開閉装置本体の内部を示す斜視図、図４は導電体を設けない蓋体の斜視図である。
【００２３】
この給電開閉装置は、開閉装置本体１と、供給側配線２を接続する供給側端子３と、需用側配線４を接続する需用側端子５と、開閉装置本体１の電気導通部分が外部に露出しないように覆うカバー６と、カバー６の外側を覆う蓋体７と、供給側端子３及び需用側端子５間を導通状態と非導通状態とのうちの一方に切り替えるための導電体８（切替手段）とを備えている。
【００２４】
開閉装置本体１は、例えば電気絶縁性の合成樹脂から略箱状に形成され、その内部に、供給側端子３及び需用側端子５が配置される。供給側端子３及び需用側端子５は、その軸線が互いに平行になるように配置され、両端子３、５間に導電体８を挿入するための隙間９が形成される。隙間９は、図示しないばねで供給側端子３を需用側端子５に向けて付勢することにより、導電体８の厚さよりも小さくなるように設定される。
【００２５】
供給側端子３は、導電性材料からなる断面略Ｌ字形とされ、その垂直片１０を需用側端子５に対向させて配置される。供給側端子３は、その水平部１１の供給側配線２から見て先端側をねじ１２で固定することにより、開閉装置本体１に装着される。なお、供給側端子３をばねで付勢して隙間９を導電体８よりも小さくできるように、ねじ１２は緩やかに締められる。
【００２６】
供給側端子３の水平部１１の基端側には、供給側配線２の芯線１３を挿入するための挿入部１４が形成されている。開閉装置本体１の供給側面に形成された図示しない供給側配線用挿入穴に供給側配線２を挿入し、その芯線１３を挿入部１４に挿入して、挿入部１４を押し潰すことにより、供給側端子３に供給側配線２が接続される。なお、供給側配線２は、電力計付近の狭い空間で取り回しがよいように、多芯より線を被覆部で被覆したものとされる。
【００２７】
需用側端子５は、導電材料からなる略直方体とされ、後述する中蓋１９で覆うことにより、開閉装置本体１に装着される。需用側端子５は、その軸中心部に需要側配線４の芯線１５を挿入するための挿入穴１６が形成され、この挿入穴１６に、需用側端子５の蓋体７側から螺合されたねじ１７の先端が侵入するようになっている。
【００２８】
開閉装置本体１の需用側面に形成された需用側配線用挿入穴１８に需用側配線４を挿入し、その芯線１５を挿入穴１６に挿入して、ねじ１７を締め付けることにより、需用側端子５に需用側配線４が接続される。なお、需用側配線用挿入穴１８の内周面には段差が形成され、この段差まで需用側配線４の被覆部先端を挿入することにより、需用側配線４の芯線１５が開閉装置本体１の外部に露出しないようになっている。
【００２９】
供給側端子３及び需用側端子５を配置した開閉装置本体１は、供給側端子３に供給側配線２を接続した後、供給側端子３及び需用側端子５を覆い隠す中蓋１９を接着するようになっている。中蓋１９は、例えば絶縁性の合成樹脂からなり、開閉装置本体１に嵌り込む大きさとされる。
【００３０】
中蓋１９の需用側端子５を覆う部分には、ねじ１７が貫通するねじ貫通穴２０が形成され、このねじ貫通穴２０から露出するねじ１７を操作するようになっている。中蓋１９の中央には、導電体８を貫通させるための導電体貫通穴２１が形成されている。導電体貫通穴２１は、導電体８を挿入できるだけの大きさとされる。
【００３１】
カバー６は、例えば絶縁性の合成樹脂からなり、特殊ねじ２２により中蓋１９を覆うように装着される。カバー６でねじ１７を覆うことにより、全ての電気導通部分を覆い隠すようになっている。特殊ねじ２２は、三つ又の溝が形成されて専用の工具により取り外し可能とされ、不正操作を防止するようになっている。カバー６の中央には、導電体８を挿入するための導電体挿入穴２３が形成されている。導電体挿入穴２３は、中蓋１９の導電体貫通穴２１と同一形状とされる。
【００３２】
蓋体７は、例えば絶縁性の合成樹脂からなり、カバー６及び中蓋１９の外側に嵌め込むようにして、開閉装置本体１に装着される。蓋体７は、その内側に導電体８が突設された導通用カバー７ａと、導電体８を設けない非導通用カバー７ｂとからなる。導電体８は、導電性材料からなる板状とされ、図示しないばねの付勢力に抗して隙間９を押し広げることにより、隙間９に挿入できる厚さに設定される。
【００３３】
導電体８を突設した蓋体７ａを装着したとき、その導電体８がカバー６の導電体挿入穴２３と中蓋の導電体貫通穴２１とを貫通し、両端子３、５間の隙間９に挿入されて、両端子３、５間を導通状態に切り替える。蓋体７ａを取り外したとき、導電体８が隙間９から引き抜かれて、両端子３、５間を非導通状態に切り替える。蓋体７ａ、７ｂを使い分けることにより、両端子３、５間の導通状態及び非導通状態が切り替わる。なお、蓋体７ａと蓋体７ｂとは、その外観が同じであり、外部からは給電状態と給電停止状態とを判別できないようになっている。
【００３４】
蓋体７を開閉装置本体１に装着したとき、蓋体７の内側に設けられた突起２４が、カバー６の突起挿入穴２５と中蓋１９の突起挿入穴２６とに挿入される。開閉装置本体１及び蓋体７の側面外側から中蓋１９に特殊ねじ２７を螺合して、この特殊ねじ２７の先端を蓋体７の突起２４に当接させることにより、蓋体７が開閉装置本体１に固定される。特殊ねじ２７は、三つ又の溝が形成されて専用の工具により取り外し可能とされ、不正操作を防止するようになっている。なお、中蓋１９の突起挿入穴２６は、中蓋１９を貫通しない深さとされる。
【００３５】
次に、第一実施形態の給電開閉装置を操作する手順について説明する。まず、専用のドライバーで、図１に示す給電開閉装置の特殊ねじ２７を緩め、図２に示すように、開閉装置本体１から蓋体７を取り外す。次いで、専用のドライバーで、特殊ねじ２２を緩め、図５に示すように、カバー６を特殊ねじ２２の周りに回転させて、ねじ１７を露出させる。なお、特殊ネジ２２及びカバー６を取り外さないので、部品の落下を防止でき、狭い場所での作業性が良好になる。
【００３６】
開閉装置本体１の需用側配線用挿入穴１８に需用側配線４を挿入して、その芯線１５を需用側端子５の挿入穴１６に挿入し、ねじ１７を締め付けて需用側端子５に需用側配線４を接続する。カバー６を所定の位置に合わせ、特殊ネジ２２を締め付けて固定する。これにより、ねじ１７がカバー６で覆われ、電気導通部分が露出しない。ここで、ねじ１７は、芯線１５をしっかりと締め付けた状態で中蓋１９から突出しない長さとされ、芯線１５が完全に接続されていないとき、カバー６を取り付けられないようになっている。
【００３７】
その後、供給側配線２の他端側を電力量計の２次側端子に取り付けて、供給側端子３までを充電する。この段階では、供給側端子３と需用側端子５との隙間９により、需用側配線４への給電は阻止されている。需要側に給電する場合と給電を停止する場合とに応じ、蓋体７ａ、７ｂを選択して開閉装置本体１に装着することにより給電開閉装置の装着が完了する。
【００３８】
需用側に給電するとき、図６に示すように、導電体８を設けた蓋体７ａを開閉装置本体１に装着する。蓋体７ａの装着方向は、その内側の突起２４をカバー６の突起挿入穴２５に合わせるようにする。これにより、蓋体７ａの内側に突設された導電体８が、カバー６の導電体挿入穴２３と中蓋の導電体貫通穴２１とを貫通して、両端子３、５間の隙間９に挿入される。
【００３９】
蓋体７ａの装着前は、図示しないばねが供給側端子３を需要側端子５に向けて付勢することにより、隙間９が導電体８の厚さよりも小さくなっている。蓋体７を装着することにより、導電体８が、ばねの付勢力に抗して隙間９を押し広げながら、その隙間９に挿入される。これにより、導電体８が供給側端子３及び需要側端子５に接触して、両端子３、５間が導通状態に切り替わる。
【００４０】
需要側への給電を停止するとき、図７に示すように、導電体８を設けない蓋体７ｂを開閉装置本体１に装着する。蓋体７ｂの装着方向は、その内側の突起２４をカバー６の突起挿入穴２５に合わせるようにする。隙間９により、両端子３、５間が切断されて非導通状態に切り替わる。
【００４１】
開閉装置本体１に装着した蓋体７は、特殊ネジ２７を締め付けて固定し、不正操作を防止する。これにより、カバー６の導電体挿入穴２３及び中蓋の導電体貫通穴２１が覆われて、開閉装置本体１の内部と外部とが遮断される。
【００４２】
上記構成によれば、蓋体７で開閉装置本体１の内部を覆うため、作業員や需用者が不用意に触れて感電することを防止することができる。蓋体７ａ、７ｂを選択して装着することにより、両端子３、５間の開閉操作をして、給電停止とその解除とを容易に切り替えることができる。開閉操作するために蓋体７を取り外したときも、電気導通部分をカバー６が覆っているので、作業者の感電を防止することができる。蓋体７及びカバー６を特殊ねじ２７、２２により固定するので、需用者や第三者による不正操作を防いで、盗電などを防止することができる。
【００４３】
なお、本発明の第一実施形態は、上記の実施の形態に限定されるものではなく、本発明の範囲内において、適宜変更を加えることができる。例えば、切替手段として、導電体８の代わりに絶縁体を用いてもよい。この場合、供給側端子３及び需用側端子５のうちの少なくとも一方の端子を他方の端子に向けて付勢するばねを設けて、両端子３、５を接触させる。
【００４４】
絶縁体を突設した蓋体を装着することにより、絶縁体が両端子３、５間を押し広げながら挿入される。これにより、両端子３、５間が非導通状態に切り替わる。この蓋体を取り外すことにより、両端子３、５間から絶縁体が引き抜かれ、ばねの付勢力により両端子３、５間が接触して導通状態に切り替わる。その後、絶縁体を設けない蓋体を装着しておく。
【００４５】
切替手段として、両端子３、５間を接続する導電体と、両端子３、５間を絶縁する絶縁体との両方を用いてもよい。導電体を突設した蓋体を装着することにより、両端子３、５間に導電体が挿入され、両端子３、５間が導通状態に切り替わる。絶縁体を突設した蓋体を装着することにより、両端子３、５間に絶縁体が挿入され、両端子３、５間が非導通状態に切り替わる。これらの導電体及び絶縁体は、蓋体７に突設する代わりに、蓋体７とは別体のものとしてもよい。
【００４６】
また、二種類の蓋体７ａ、７ｂを設ける代わりに、一種類の蓋体７の開閉装置本体１への装着方向を変えることにより、両端子３、５間の導通状態と非導通状態とを切り替えるようにしてもよい。
【００４７】
切替手段として、導電体または絶縁体を用いる場合、この導電体（絶縁体）を蓋体７の中心から偏心させて突設する。蓋体７を所定方向に向けて装着したとき、導電体（絶縁体）が両端子３、５間に挿入されて、両端子３、５間が導通状態（非導通状態）に切り替わるように設定する。蓋体７を他の方向に向けて装着したとき、導電体（絶縁体）が両端子３、５間からずれて、両端子３、５間が非導通状態（導通状態）に切り替わる。
【００４８】
切替手段として、導電体及び絶縁体を用いる場合、この導電体及び絶縁体を蓋体７の中心から偏心させて突設する。蓋体７を所定方向に向けて装着したとき、導電体が両端子３、５間に挿入されて、両端子３、５間が導通状態に切り替わり、蓋体７を他の方向に向けて装着したとき、絶縁体が両端子３、５間に挿入されて、両端子３、５間が非導通状態に切り替わるように設定する。
【００４９】
［第二実施形態］  次に、図８及び図９を用いて、本発明の第二実施形態について説明する。この第二実施形態は、第一実施形態とほぼ同じ構成であるが、供給側端子３及び需要側端子５間に導電体を挿入したり、両端子３、５間から導電体を抜き出したりする代わりに、両端子３、５間を接続または切断する電気接点３１を設けている。
【００５０】
両端子３、５間の導通状態及び非導通状態を切り替えるための切替手段は、電気接点３１と、電気接点３１に連絡されたスイッチ３２と、スイッチ３２を押圧するように蓋体３３に形成された突起３４とからなる。
【００５１】
電気接点３１は、導電性材料から断面コ字形に形成され、その開放側を蓋体３３側に向けて、両端子３、５間に配置される。両端子３、５は、電気接点３１が移動できるように、所定の間隔をあけて配置される。両端子３、５間の中央付近には、需要側端子５から延設されたに延設金具３５の円弧部３６が上方に隆起するように形成され、この円弧部３６上に電気接点３１が載置される。
【００５２】
電気接点３１は、供給側端子３側に移動することにより供給側端子３に接触し、延設部３５を介して、供給側端子３と需要側端子５とを接続する。また、電気接点３１は、需要側端子５側に移動することにより供給側端子３との間に隙間を形成し、供給側端子３と需要側端子５との接続を切断する。
【００５３】
スイッチ３２は、突起３４により押圧される押圧部３７と、押圧部３７の開閉装置本体１側に突設されたばね部３８とからなり、電気接点３１で両端子３、５間を接続させる接続姿勢と、電気接点３１で両端子間３、５間を切断する切断姿勢との間で移動自在とされる。押圧部３７は、例えば絶縁性の合成樹脂から略直方体に形成される。ばね部３８は、例えば絶縁性の合成樹脂から弾性を有する棒状に形成され、その先端に電気接点３１を係合するようになっている。
【００５４】
スイッチ３２は、中蓋３９のスイッチ挿入穴４０及びカバー４１のスイッチ挿入穴４２に挿入される。このとき、押圧部３７がスイッチ挿入穴４０、４２からわずかに突出する。スイッチ挿入穴４０、４２は、蓋体３３の突起３４で押圧部３７を押圧したとき、この押圧部３７が傾斜できるように、押圧部３７よりもわずかに大きくされる。
【００５５】
突起３４は、蓋体３３の内側の中央から偏心した部位に形成される。蓋体３３を開閉装置本体１に装着したとき、突起３４がスイッチ３２の押圧部３７の中央から偏心した部分を押圧して、押圧部３７を傾斜させる。蓋体３３とカバー４１との間には、押圧部３７が傾斜できるように、所定の隙間が形成されるようになっている。
【００５６】
蓋体３３は、突起３４を需用側端子５側に位置させて、開閉装置本体１に装着可能とされる。また、蓋体３３は、突起３４を供給側端子３側に位置させて、開閉装置本体１に装着可能とされる。蓋体３３の装着方向を変えることにより、突起３４が押圧部３７の異なる部分を押圧して、スイッチ３２の接続姿勢と切断姿勢とを切り替える。これにより、電気接点３１が移動して両端子３、５間の導通状態と非導通状態とを切り替え、給電と給電停止とを切り替えるようになっている。
【００５７】
次に、開閉装置本体１に蓋体３３を装着したときの電気接点３１の動作について説明する。まず、図８に示す開閉装置本体１に、突起３４を需用側端子５側に位置させて蓋体３３を装着するとき、図９（ａ）に示すように、突起３４がスイッチ３２の押圧部３７の需用側端子５側を押圧する。需用側端子５側を押し込むように押圧部３７が傾斜して、ばね部３８が変形する。ばね部３８の復元力により、電気接点３１が供給側端子３側に移動する接続姿勢になる。電気接点３１が供給側端子３に接触して、両端子３、５間が導通状態に切り替わる。
【００５８】
また、図８に示す開閉装置本体１に、突起３４を供給側端子３側に位置させて蓋体３３を装着するとき、図９（ｂ）に示すように、突起３４がスイッチ３２の押圧部３７の供給側端子３側を押圧する。需用側端子５側を押し込むように押圧部３７が傾斜して、ばね部３８が変形する。ばね部３８の復元力により、電気接点３１が需用側端子５側に移動する切断姿勢になる。電気接点３１が供給側端子３から離れ、両端子間が非導通状態に切り替わる。
【００５９】
【発明の効果】
以上の説明から明らかな通り、本発明によると、開閉装置本体の電気導通部分を覆う蓋体を設けることにより、需用者や作業者が不用意に電気導通部分に触れて感電することを防止できる。給電状態及び給電停止状態のいずれであっても、蓋体の外観を同じにすることができ、各戸の給電状態及び給電停止状態の第三者による判別を不能にすることができる。
【００６０】
給電停止及びその解除を切り替えるために蓋体を取り外したとき、切替手段を挿入する挿入穴を除いて、カバーが電気導通部分を覆うため、作業者の感電を防止することができる。これにより、給電開閉装置を開閉操作するとき、防護面や防護手袋等の特殊な保護具を装着しなくても、開閉操作を安全にかつ迅速に行なうことができ、その開閉操作のコストを安くすることができる。
【００６１】
一般使用されていない特殊ねじで蓋体及びカバーを取り付けることにより、需用者による不正操作を防止できる。これにより、需用者の感電を防ぐと共に、需用者などによる盗電を防止することができる。
【００６２】
また、蓋体に切替手段を設けた簡単な構造であり、小型化を図ることができるため、その設置スペースを小さくすることができ、その製作コストも安くすることができる。
【図面の簡単な説明】
【図１】本発明の給電開閉装置の蓋体を装着したときの斜視図（第一実施形態）
【図２】給電開閉装置の蓋体を取り外したときの斜視図
【図３】開閉装置本体の内部を示す斜視図
【図４】導電体を設けない蓋体の斜視図
【図５】カバーをずらした状態を示す斜視図
【図６】図１のＡ−Ａ断面図で、蓋体に導電体を設けた場合を示す
【図７】図１のＡ−Ａ断面図で、蓋体に導電体を設けない場合を示す
【図８】蓋体装着前の断面図（第二実施形態）
【図９】蓋体装着後の断面図で、（ａ）は導通状態を示し、（ｂ）は非導通状態を示す
【図１０】従来の導通プラグを着脱する給電開閉装置の取付部周辺の正面図
【図１１】遠隔制御用停止解除装置を備えた給電開閉装置の構成図
【符号の説明】
１      開閉装置本体
２      供給側配線
３      供給側端子
４      需用側配線
５      需用側端子
６      カバー
７      蓋体
８      導電体
９      隙間
２２、２７  特殊ねじ
２３    導電体挿入穴
３１    電気接点
３２    スイッチ
３３    蓋体
３４    突起
【図１】
2004152650.tif 000003
【図２】
2004152650.tif 000004
【図３】
2004152650.tif 000005
【図４】
2004152650.tif 000006
【図５】
2004152650.tif 000007
【図６】
2004152650.tif 000008
【図７】
2004152650.tif 000009
【図８】
2004152650.tif 000010
【図９】
2004152650.tif 000011
【図１０】
2004152650.tif 000012
【図１１】
2004152650.tif 000013